(57)【要約】【課題】簡単な構造でありながら、引戸開閉時の操作性及び安全性に優れた引戸用の引手を提供することを目的とする。【解決手段】この引手１１は、引戸１の切欠き凹部４内を引戸開閉方向に仕切る指掛け部１２を備えている。この指掛け部１２は、引戸開放時に、指掛け部１２を挟んで木口面３側の第１空間１５に挿入した指を掛ける第1指掛け面１６と、引戸閉塞時に、指掛け部１２を挟んで木口面３と反対側の第２空間１７に挿入した指を掛ける第２指掛け面１８とを有し、第１空間１５に、その第１空間１５に挿入した指で摘んで引戸１を引き出すための摘み部１３を設けると共に、第２空間１７に、その第２空間１７に指を挿入した状態での引戸１の開放操作を規制して、第１指掛け面１６に指を掛けるように促す指掛け規制部１４を設けている。【選択図】図５
2008255690.tif 000002
【特許請求の範囲】
【請求項１】
引戸（１）の縦方向に沿った端縁部（２）における木口面（３）から両表面（５ａ）（５ｂ）にかけて形成した切欠き凹部（４）に設けた引手（１１）であって、前記切欠き凹部（４）内を引戸開閉方向に仕切る指掛け部（１２）を備え、この指掛け部（１２）は、引戸開放時に、指掛け部（１２）を挟んで前記木口面（３）側の第１空間（１５）に挿入した指を掛ける第1指掛け面（１６）と、引戸閉塞時に、指掛け部（１２）を挟んで前記木口面（３）と反対側の第２空間（１７）に挿入した指を掛ける第２指掛け面（１８）とを有し、前記第１空間（１５）に、その第１空間（１５）に挿入した指で摘んで前記引戸（１）を引き出すための摘み部（１３）を設けると共に、前記第２空間（１７）に、その第２空間（１７）に指を挿入した状態での前記引戸（１）の開放操作を規制して、前記第１指掛け面（１６）に指を掛けるように促す指掛け規制部（１４）を設けたことを特徴とする引戸用の引手。
【請求項２】
前記摘み部（１３）は、前記木口面（３）に対して略平行に配された前記第１指掛け面（１６）の略中央から前記木口面（３）へ向けて前記第１指掛け面（１６）に対して直交する方向に延出した突片からなり、前記指掛け規制部（１４）は、前記木口面（３）に対して略平行に配された前記第２指掛け面（１８）の略中央から前記引戸（１）の一方の表面（５ａ）に向けて延出した第１傾斜片（２１）と、前記第２指掛け面（１８）の略中央から前記引戸（１）の他方の表面（５ｂ）に向けて延出した第２傾斜片（２２）とからなる請求項１記載の引戸用の引手。
【請求項３】
引戸開放時に壁体（３２）の戸袋（３３）内に収納される引戸（１）に対して、その収納状態において露出する端縁部（２）に形成した切欠き凹部（４）に設けた請求項１又は２記載の引戸用の引手。
【発明の詳細な説明】
【技術分野】
【０００１】
この発明は、例えば引込み戸、片引き戸、引違い戸等の引戸に設けられる引手に関する。
【背景技術】
【０００２】
引戸には、引込み戸、片引き戸、引違い戸等がある。この種の引戸は、壁体の戸袋内に収納されるようにして開放されたり、別の引戸の裏側に重ね合わせるようにして開放されるので、その引手において、引戸開放時の指詰めを防止したり、開放状態の引戸の引き出しを容易にするための様々な工夫がなされている。
【０００３】
例えば、引手に指を掛けるとストッパーが突出し、このストッパーが壁体や別の引戸に干渉することで、引戸の開放時の指詰めを防止するものがある。また、引戸の端縁部に引手が出没自在に設けられていて、その引手を引戸の木口面から突出させて指で摘んで引っ張ることで、開放状態の引戸を容易に引き出して閉めるようにしたものがある。
【０００４】
しかしながら、上記のようなストッパーが突出する構造の引手の場合には、引戸を完全に開放する際に、引手から一旦手を離してストッパーを引っ込めてから、引戸を押し込む必要があった。また、出没自在な構造の引手の場合には、引戸を引き出して閉める際に、引手を引戸の木口面から突出させてから、その引手を指で摘んで引っ張る必要があった。すなわち、いずれの引手の場合にも、引戸開閉時の動作が多くなって、使い勝手が悪いといった問題があった。さらに、ストッパーを突出させたり、出没自在とするための機構を必要とすることから、構造が複雑になってコスト高を招いていた。
【０００５】
そこで、例えば特許文献１〜５にも開示されているように、指詰めを防止したり、引戸の引き出しを容易にしながらも、構造が簡単で使い勝手も良好な引戸用の引手が提案されている。
【０００６】
これら引戸用の引手においては、図８に示すように、引戸５０の木口面５１側の隙間から挿入した指を引っ掛けることが可能な第１指掛け部５２が木口面５１と平行に形成され、この第１指掛け部５２に指を引っ掛けて開放状態の引戸５０を容易に引き出し、そのまま引戸５０をスライドさせて閉めることができる。また、引戸５０の開放時には、第１指掛け部５２に対向する奥側の第２指掛け部５３に指を掛けて引戸をスライドさせることで、引戸５０が壁体の戸袋内や別の引戸に重ね合わされて完全に開放した時でも、引戸５０の木口面５１側の隙間から指を引き抜いて指詰めを防止することができる。
【特許文献１】特開２００３−７４２５２号公報
【特許文献２】特開２００３−５６２１６号公報
【特許文献３】特開２００３−１５５８５０号公報
【特許文献４】特開平１０−３１７８２５号公報
【特許文献５】特開平８−６０９０１号公報
【発明の開示】
【発明が解決しようとする課題】
【０００７】
しかしながら、上記提案例の引戸用の引手では、引戸５０の開放時に第２指掛け部５３に引っ掛けた指を引戸５０の木口面５１側の隙間からスムーズに引き抜くことができるように、第１指掛け部５２の引戸厚み方向への張り出しを小さく抑える必要がある。このため、第１指掛け部５２が幅狭となりがちで、指を引っ掛けるスペースを確保することができず、第１指掛け部５２に指を引っ掛け難くなって、引戸閉塞時の操作性が悪いといった問題があった。
【０００８】
また、第１指掛け部５２は、引戸５０の木口面５１に露出するか、若しくは、木口面５１近傍に形成されているので、引戸５０を閉めてその木口面５１が戸枠に衝突したときの衝撃が第１指掛け部５２に引っ掛けた指にまともに伝わり易く、場合によっては指が戸枠に衝突してしまうこともあり、安全性にも問題があった。
【０００９】
そこで、この発明は、上記不具合を解消して、簡単な構造でありながら、引戸開閉時の操作性を向上することができ、しかも指詰めを確実に防止することができる安全性に優れた引戸用の引手を提供することを目的とする。
【課題を解決するための手段】
【００１０】
上記課題を解決するため、この発明の引戸用の引手は、引戸１の縦方向に沿った端縁部２における木口面３から両表面５ａ、５ｂにかけて形成した切欠き凹部４に設けたものであって、前記切欠き凹部４内を引戸開閉方向に仕切る指掛け部１２を備え、この指掛け部１２は、引戸開放時に、指掛け部１２を挟んで前記木口面３側の第１空間１５に挿入した指を掛ける第1指掛け面１６と、引戸閉塞時に、指掛け部１２を挟んで前記木口面３と反対側の第２空間１７に挿入した指を掛ける第２指掛け面１８とを有し、前記第１空間１５に、その第１空間１５に挿入した指で摘んで前記引戸１を引き出すための摘み部１３を設けると共に、前記第２空間１７に、その第２空間１７に指を挿入した状態での前記引戸１の開放操作を規制して、前記第１指掛け面１６に指を掛けるように促す指掛け規制部１４を設けたことを特徴とする。
【００１１】
具体的に、前記摘み部１３は、前記木口面３に対して略平行に配された前記第１指掛け面１６の略中央から前記木口面３へ向けて前記第１指掛け面１６に対して直交する方向に延出した突片からなり、前記指掛け規制部１４は、前記木口面３に対して略平行に配された前記第２指掛け面１８の略中央から前記引戸１の一方の表面５ａに向けて延出した第１傾斜片２１と、前記第２指掛け面１８の略中央から前記引戸１の他方の表面５ｂに向けて延出した第２傾斜片２２とからなる。
【００１２】
また、上記引手１１は、引戸開放時に壁体３２の戸袋３３内に収納される引戸１に対して、その収納状態において露出する端縁部２に形成した切欠き凹部４に設けている。
【発明の効果】
【００１３】
この発明の引手を用いることで、引戸の閉塞時には、摘み部を摘んで引戸を容易に引き出すことができ、しかも第２空間に挿入した指をしっかりと奥側に位置する幅広の第２指掛け面に引っ掛けて引戸をスライドさせることができる。したがって、引戸の閉塞時における操作性を向上することができ、しかも引戸の木口面が戸枠に衝突した時の衝撃が指にまともに伝わることなく、また指の戸枠への衝突を回避することができ、安全性も高めることができる。
【００１４】
一方、引戸の開放時には、第１空間に指を挿入した指を幅広の第１指掛け面にしっかりと引っ掛けて引戸をスライドさせることができるが、このとき誤って第２空間に指を挿入して引戸を開放させようとしても、この開放操作を指掛け規制部によって規制して、指詰めを確実に防止している。したがって、第２空間及び第２指掛け面を設けて、引戸の閉塞時の操作性及び安全性を高めるようにしながらも、引戸の開放時の操作性及び安全性も高めることができる。
【００１５】
このように、この発明の引手は、駆動機構を持たない簡単な構造でありながら、引戸の開閉時の操作性及び安全性の向上を図ることができる。
【００１６】
また、摘み部は、木口面に対して略平行な第１指掛け面の略中央から、第１指掛け面に対して直交する方向に延出した突片からなり、指掛け規制部は、木口面に対して略平行な第２指掛け面の略中央から引戸の両表面に向けて延出した第１傾斜片及び第２傾斜片とからなるため、引戸の両表面側から見た引手の形状が略同一で、それら両表面側からの引戸の開閉操作を同じにすることができる。
【００１７】
このように構成された引手は、特に両表面側からの開閉操作が要求される引込み戸等の引戸に用いることで、その開閉時の操作性及び安全性をより一層高めることができる。
【発明を実施するための最良の形態】
【００１８】
以下、この発明の実施形態を図面に基づいて説明する。図１は、この発明の一実施形態に係る引手１１を特に引込み戸１に設けた一例を示している。引込み戸１は、図２に示すように、その全開状態において、縦方向に沿った一方の端縁部２の木口面３が壁面３１と略面一になるようにして、壁体３２に設けた戸袋３３内に収納され、その全開状態において、端縁部２の木口面３が戸枠９に当接した状態となるように、左右方向にスライド自在に設けられている。
【００１９】
そして、この引込み戸１の端縁部２の縦方向略中央には、引手１１を取り付けるための切欠き凹部４が形成されている。切欠き凹部４は、図３に示すように、端縁部２における木口面３から両表面５ａ、５ｂにかけて形成され、木口面３に対して略直角な上面６及び下面７と、これら上面６及び下面７の木口面３とは反対側の端部同士を連結する側面８とを備えている。すなわち、この切欠き凹部４は、端縁部２を厚み方向に貫通し、かつ、木口面３側に開放しており、引込み戸１の両表面５ａ、５ｂ側から見て略コの字状に形成されている。
【００２０】
引手１１は、図４及び５に示すように、引込み戸１の切欠き凹部４に嵌合する外枠４１と、この外枠４１内に一体的に組み込まれた指掛け部１２、摘み部１３、指掛け規制部１４とを備えている。
【００２１】
外枠４１は、切欠き凹部４の上面６に重ね合わされる上面片４２と、切欠き凹部４の下面７に重ね合わされる下面片４３と、これら上面片４２と下面片４３の端部同士を連結して、切欠き凹部４の側面８に重ね合わされる側面片４４とを備えている。
【００２２】
指掛け部１２は、中空柱状に形成され、切欠き凹部４（外枠４１）内を引込み戸開閉方向に仕切るようにして、外枠４１の上面片４２と下面片４３との間に差し渡されている。そして、この指掛け部１２は、引込み戸開放時に、指掛け部１２を挟んで木口面３側の第１空間１５に挿入した指を掛ける第１指掛け面１６と、引込み戸閉塞時に、指掛け部１２を挟んで木口面３と反対側の第２空間１７に挿入した指を掛ける第２指掛け面１８とを有している。これら第１指掛け面１６及び第２指掛け面１８は、引込み戸１の木口面３と略平行に配されている。
【００２３】
摘み部１３は、第１空間１５を引込み戸厚み方向に仕切るようにして、外枠４１の上面片４２と下面片４３との間に差し渡され、指掛け部１２の第１指掛け面１６の幅方向略中央から木口面３へ向けて、第１指掛け面１６に対して直交する方向に延出した突片からなる。
【００２４】
したがって、引込み戸１の木口面３側から２分割された第１空間１５へ指を挿入して、その指で摘み部１３を摘んで引込み戸１を閉方向へ引っ張ることで、全開状態の引込み戸１を戸袋３３から容易に引き出すことができるようになっている。なお、摘み部１３の先端には、指で摘んだ時の引っ掛かりになるように、その縦方向の全長に亘って断面略三角形状の掛り部１９が一体的に形成されている。
【００２５】
指掛け規制部１４は、外枠４１の上面片４２と下面片４３との間に差し渡されて、第２指掛け面１８の幅方向略中央から引込み戸１の一方の表面５ａに向けて延出した第１傾斜片２１と、同じく外枠４１の上面片４２と下面片４３との間に差し渡されて、第２指掛け面１８の略中央から引込み戸１の他方の表面５ｂに向けて延出した第２傾斜片２２とからなる。これら第１傾斜片２１及び第２傾斜片２２によって、第２空間１７が３分割されている。
【００２６】
したがって、第２空間１７における第２指掛け面１８と第１傾斜片２１とに囲まれた空間、若しくは、第２指掛け面１８と第２傾斜片２２とに囲まれた空間に指を挿入して、その指を第２指掛け面１８に引っ掛けることで、引込み戸１を閉方向へ容易にスライドさせることができるが、その挿入した指を第１傾斜片２１や第２傾斜片２２へ引っ掛けて、引込み戸１を開方向へスライドさせることは非常に困難となる。すなわち、指掛け規制部１４は、第２空間１７に指を挿入した状態での引込み戸１の開放操作を規制して、第１指掛け面１６に指を掛けるように促すようになっている。
【００２７】
上記構成の引手１１を引込み戸１の切欠き凹部４に取り付けた状態において、指掛け部１２、摘み部１３、指掛け規制部１４等は、引込み戸１の両表面５ａ、５ｂや木口面３よりも外側に張り出すことなく、切欠き凹部４内にきっちりと収まっている。また、引込み戸１の両表面５ａ、５ｂ側から見た引手１１の形状は、同一となっていて、引込み戸１の両表面５ａ、５ｂ側からの開閉操作を同じにしている。
【００２８】
次に、上記構成の引手１１を備えた引込み戸１の開閉操作について説明する。まず、全開状態の引込み戸１を全閉状態にする場合、図６に示すように、引込み戸１の木口面３側から２分割された第１空間１５に指を挿入して、その指で摘み部１３を摘んで閉方向へ引っ張る。このとき、摘み部１３の先端には、掛り部１９があるため、摘み部１３をしっかりと摘むことができる。引込み戸１がある程度まで引き出され、引手１１が壁面３１より手前側に出ると、第２空間１７に指を挿入して、指掛け部１２の幅広の第２指掛け面１８に指をしっかりと引っ掛けて、引込み戸１をその木口面３が戸枠９に当接するまで閉方向へスライドさせることで、引込み戸１を全閉状態とすることができる。このとき、引込み戸１の木口面３よりも奥側に位置する第２指掛け面１８に指を掛けているので、引込み戸１の木口面３が戸枠９に衝突した時の衝撃が指にまともに伝わることなく、また指が戸枠９に衝突することもなく安全である。
【００２９】
一方、全閉状態の引込み戸１を全開状態にする場合には、図７に示すように、第１空間１５に指を挿入して、この指を第１指掛け面１６にしっかりと引っ掛けて、引込み戸１を開方向へスライドさせる。引込み戸１が戸袋３３内に収納されて、引手１１が戸袋３３内に進入すると、第１指掛け面１６に引っ掛けていた指で第１指掛け面１６を押し込んで、引込み戸１を戸袋３３内に完全に収納する。そして、第１空間１５から指を引き抜くことで、指を挟むことなく、引込み戸１を全開状態とすることができる。
【００３０】
この引込み戸１の開放操作において、誤って第２空間１７に指を挿入して、その指を第１傾斜片２１や第２傾斜片２２に引っ掛けようとしても、指が滑ってこれら傾斜片２１、２２に指をしっかりと掛けることができず、引込み戸１を開方向へスライドさせることはできない。このように、第２空間１７及び第２指掛け面１８を設けて、引込み戸１の閉塞時に指を安全かつ安定して引っ掛けることができるようにしながらも、奥側の第２空間１７に指を挿入した状態での開放操作を阻止して、指を第１空間１５に挿入して第１指掛け面１６に引っ掛けるように促し、指詰めを確実に防止している。
【００３１】
この発明は、上記実施形態に限定されるものではなく、この発明の範囲内で上記実施形態に多くの修正及び変更をすることは可能である。例えば、この発明の引手は、引込み戸以外の引違い戸や片引き戸等のその他の引戸にも適用可能である。また、摘み部を弾性変形可能で指を傷め難いゴム製のものにして、指で摘むだけでなく、指を引っ掛けて引戸を引き出せるようにしても良い。
【００３２】
また、摘み部１３の掛り部１９を廃止して、図８、図９に示すように、第1空間１５の上部に指を掛ける凹所５１、５１を形成してもよい。
【図面の簡単な説明】
【００３３】
【図１】この発明の引手を取り付けた引込み戸の斜視図である。
【図２】引込み戸の全閉全開状態を示す図である。
【図３】引込み戸の分解斜視図である。
【図４】引手の斜視図である。
【図５】引手の横断面図である。
【図６】引込み戸の閉塞操作を示す図である。
【図７】引込み戸の開放操作を示す図である。
【図８】別の実施形態に係る引手の斜視図である。
【図９】別の実施形態を示す横断面図である。
【図１０】従来の引手を示す横断面図である。
【符号の説明】
【００３４】
１・・引戸（引込み戸）、２・・端縁部、３・・木口面、４・・切欠き凹部、
５a・・一方の表面、５ｂ・・他方の表面、１１・・引手、１２・・指掛け部、１３・・摘み部、１４・・指掛け規制部、１５・・第１空間、１６・・第１指掛け面、１７・・第２空間、１８・・第２指掛け面、２１・・第１傾斜片、２２・・第２傾斜片、３１・・壁面、３２・・壁体、３３・・戸袋
【図１】
2008255690.tif 000003
【図２】
2008255690.tif 000004
【図３】
2008255690.tif 000005
【図４】
2008255690.tif 000006
【図５】
2008255690.tif 000007
【図６】
2008255690.tif 000008
【図７】
2008255690.tif 000009
【図８】
2008255690.tif 000010
【図９】
2008255690.tif 000011
【図１０】
2008255690.tif 000012